(57)【要約】【課題】ユーザの操作に応じて給湯装置に動作指令を出力するリモコン装置において、ユーザがリモコン装置に対して操作を行ってリモコン装置の表示部を明るくする場合において、表示される画面のバリエーションを増やす。【解決手段】リモコン装置は、所定時間操作されなかったことで遷移した減光状態Ｓ３において、機能スイッチが操作された場合、基準光レベルで標準画面Ｄ１を表示する標準状態Ｓ１に遷移する。またリモコン装置は、減光状態Ｓ３において設定スイッチが操作された場合、基準光レベルで待機画面Ｄ２を表示する標準状態Ｓ１に遷移する。【選択図】図４
2020170994.tif 000002
【特許請求の範囲】
【請求項１】
ユーザの操作に応じて給湯装置（１０）に動作指令を出力するリモコン装置であって、
情報を視覚的に表示すると共に、表示の明るさレベルとして基準光レベルと前記基準光レベルよりも低い減光レベルとを実現可能な表示部（１２３）と、
前記ユーザの操作を受け付ける操作受付部（１２５ａ〜１２５ｇ、１２６、１２７ａ〜１２７ｄ、１３１）と、
前記操作受付部が検知した操作に応じて前記動作指令を作成して出力するとともに前記表示部に表示させる情報を制御する処理部（１２８）と、を備え、
前記処理部は、
前記明るさレベルが前記基準光レベルであり且つ前記表示部に第１の情報表示画面（Ｄ１）が表示されているとき、前記操作受付部が前記ユーザによる機能実現操作を受け付けた場合に、前記機能実現操作にあらかじめ固定的に割り当てられた機能を実現する機能実現部（Ｔ１）と、
前記明るさレベルが前記基準光レベルである場合に前記操作受付部に対してユーザの操作が所定時間ないことに基づいて前記明るさレベルを前記基準光レベルから前記減光レベルに切り替える減光部（Ｔ５）と、
前記明るさレベルが前記減光レベルである場合に前記操作受付部が前記ユーザによる前記機能実現操作を受け付けたことに基づいて、前記明るさレベルを前記減光レベルから前記基準光レベルに切り替えると共に前記表示部に前記第１の情報表示画面を表示させる第１復帰部（Ｔ６、Ｔ１１、Ｔ１２）と、
前記明るさレベルが前記減光レベルである場合に前記操作受付部が前記ユーザによる前記機能実現操作以外の操作を受け付けたことに基づいて、前記明るさレベルを前記減光レベルから前記基準光レベルに切り替えると共に前記第１の情報表示画面とは異なる第２の情報表示画面（Ｄ２）を前記表示部に表示させる第２復帰部（Ｔ７）と、を有するリモコン装置。
【請求項２】
前記第１の情報表示画面には、浴槽（５１）に貯められている湯の温度の目標値であるふろ温度、および、前記浴槽に供給される湯の温度の目標値である給湯温度のうち、いずれか一方または両方が表わされており、かつ、前記浴槽に供給される湯の量および温度のうちいずれか一方または両方を調整する機能の作動中表示が表わされている請求項１に記載のリモコン装置。
【請求項３】
前記処理部は、前記第２復帰部によって前記明るさレベルが前記減光レベルから前記基準光レベルに切り替えられると共に前記第２の情報表示画面が前記表示部に表示された後に、前記操作受付部に対してユーザの操作がなくても、前記表示部に前記第１の情報表示画面を表示させる自動切替部（Ｔ８）を有することを特徴とする請求項１または２に記載のリモコン装置。
【請求項４】
前記減光部は、前記明るさレベルが前記基準光レベルであると共に前記第２の情報表示画面が前記表示部に表示されている場合に前記操作受付部に対してユーザの操作が所定時間ないことに基づいて、前記明るさレベルを前記基準光レベルから前記減光レベルに切り替えると共に、前記第２の情報表示画面のうち一部の情報が省略されて他の情報がより大きく表される第３の情報表示画面を、前記表示部に表示させる請求項１ないし３のいずれか１つに記載のリモコン装置。
【請求項５】
前記操作受付部は、切替スイッチ（１３０）を有し、
前記処理部は、前記明るさレベルが前記基準光レベルであり且つ前記表示部に前記第１の情報表示画面が表示されているとき、前記切替スイッチが操作されたことに基づいて、前記表示部の表示を前記第１の情報表示画面から前記第２の情報表示画面に切り替える手動切替部（Ｔ９、Ｔ１０）を有する請求項１ないし４のいずれか１つに記載のリモコン装置。
【請求項６】
前記操作受付部は、メカニカルスイッチである機能スイッチ（１２５ａ〜１２５ｇ）を有し、
前記第１復帰部は、前記明るさレベルが前記減光レベルである場合に前記操作受付部が前記ユーザによる前記機能実現操作として前記機能スイッチを押し込んで離す操作を受け付けたことに基づいて、前記機能スイッチが押し込まれると前記明るさレベルを前記減光レベルから前記基準光レベルに切り替えると共に前記表示部に前記第２の情報表示画面を表示させ、その後に前記機能スイッチが離されると前記表示部の表示を前記第２の情報表示画面から前記第１の情報表示画面に切り替える、請求項１ないし５のいずれか１つに記載のリモコン装置。
【請求項７】
前記第１の情報表示画面には、貯湯タンク（１１）内の貯湯量が表されており、
前記第２の情報表示画面には、前記貯湯タンク内の貯湯量が表されておらず、
前記処理部は、前記表示部が前記第２の情報表示画面を表示しているときに前記貯湯タンク内の貯湯量が基準値より小さくなったことに基づいて、前記表示部の表示を前記第２の情報表示画面から前記第１の情報表示画面に切り換える貯湯量対応部（Ｔ１３）を有する請求項１ないし６のいずれか１つに記載のリモコン装置。
【請求項８】
前記減光レベルの明るさがユーザによって調整可能である請求項１ないし７のいずれか１つに記載のリモコン装置。
【請求項９】
前記第２の情報表示画面は、前記第１の情報表示画面に表されている複数種類の情報のうち一部を、前記第１の情報表示画面で表す場合よりも大きく表している、請求項１ないし８のいずれか１つに記載のリモコン装置。
【発明の詳細な説明】
【技術分野】
【０００１】
本発明は、ユーザの操作に応じて給湯装置に動作指令を出力するリモコン装置に関するものである。
【背景技術】
【０００２】
従来、ユーザの操作に応じて給湯装置に動作指令を出力するリモコン装置として、特許文献１に示すものが知られている。このリモコン装置は、システムが停止し所定時間経過した場合、表示部を暗くするようになっている。また、表示部が暗くなっているときにリモコン装置に対して操作が行われると表示部を明るくするリモコン装置も知られている。
【先行技術文献】
【特許文献】
【０００３】
【特許文献１】特開２００４−２４５５５７号公報
【発明の概要】
【発明が解決しようとする課題】
【０００４】
本願発明者の検討によれば、ユーザがリモコン装置に対して操作を行って表示部を明るくする場合に、ユーザが見たい画面は常に同じとは限らない。
【０００５】
本発明は上記点に鑑み、ユーザの操作に応じて給湯装置に動作指令を出力するリモコン装置において、ユーザがリモコン装置に対して操作を行ってリモコン装置の表示部を明るくする場合において、表示される画面のバリエーションを増やすことを目的とする。
【課題を解決するための手段】
【０００６】
上記目的を達成するための請求項１に記載の発明は、ユーザの操作に応じて給湯装置（１０）に動作指令を出力するリモコン装置であって、情報を視覚的に表示すると共に、表示の明るさレベルとして基準光レベルと前記基準光レベルよりも低い減光レベルとを実現可能な表示部（１２３）と、前記ユーザの操作を受け付ける操作受付部（１２５ａ〜１２５ｇ、１２６、１２７ａ〜１２７ｄ、１３１）と、前記操作受付部が検知した操作に応じて前記動作指令を作成して出力するとともに前記表示部に表示させる情報を制御する処理部（１２８）と、を備え、前記処理部は、前記明るさレベルが前記基準光レベルであり且つ前記表示部に第１の情報表示画面（Ｄ１）が表示されているとき、前記操作受付部が前記ユーザによる機能実現操作を受け付けた場合に、前記機能実現操作にあらかじめ固定的に割り当てられた機能を実現する機能実現部（Ｔ１）と、前記明るさレベルが前記基準光レベルである場合に前記操作受付部に対してユーザの操作が所定時間ないことに基づいて前記明るさレベルを前記基準光レベルから前記減光レベルに切り替える減光部（Ｔ５）と、前記明るさレベルが前記減光レベルである場合に前記操作受付部が前記ユーザによる前記機能実現操作を受け付けたことに基づいて、前記明るさレベルを前記減光レベルから前記基準光レベルに切り替えると共に前記表示部に前記第１の情報表示画面を表示させる第１復帰部（Ｔ６、Ｔ１１、Ｔ１２）と、前記明るさレベルが前記減光レベルである場合に前記操作受付部が前記ユーザによる前記機能実現操作以外の操作を受け付けたことに基づいて、前記明るさレベルを前記減光レベルから前記基準光レベルに切り替えると共に前記第１の情報表示画面とは異なる第２の情報表示画面（Ｄ２）を前記表示部に表示させる第２復帰部（Ｔ７）と、を有する。
【０００７】
このように、リモコン装置は、減光レベルにおいて機能実現操作を受け付けたことに基づいて明るさレベルを基準光レベルにして表示部に第１の情報表示画面を表示させる。このようにするのは、機能実現操作をユーザが行ったということは、第１の情報表示画面において同じ操作を行いたい可能性が高いと考えられるからである。
【０００８】
また、リモコン装置は、減光レベルにおいて機能実現操作以外の操作をユーザが行ったということは、第１の情報表示画面において同じ操作を行いたいわけではないと考えられる。したがって、上記のように、リモコン装置は、減光レベルにおい機能実現操作以外の操作を受け付けたことに基づいて、明るさレベルを基準光レベルに切り替えると共に第１の情報表示画面とは異なる第２の情報表示画面を表示部に表示させる。
【０００９】
このように、リモコン装置は、ユーザの操作によって減光レベルから基準光レベルになったときに、ユーザのニーズに合った画面を表示することで、表示される画面のバリエーションを増やすことができる。
【００１０】
なお、各構成要素等に付された括弧付きの参照符号は、その構成要素等と後述する実施形態に記載の具体的な構成要素等との対応関係の一例を示すものである。
【図面の簡単な説明】
【００１１】
【図１】第１実施形態における給湯システムの構成図である。
【図２】リモコン装置の正面図である。
【図３】リモコン装置の電気的構成を示すブロック図である。
【図４】リモコン装置の処理部の状態遷移図である。
【図５】第２実施形態におけるリモコン装置の処理部の状態遷移図である。
【図６】第３実施形態において減光状態に表示される減光時画面の図である。
【図７】第４実施形態におけるリモコン装置の正面図である。
【図８】第４実施形態におけるリモコン装置の処理部の状態遷移図である。
【図９】第５実施形態におけるリモコン装置の処理部の状態遷移図である。
【図１０】第６実施形態におけるリモコン装置の処理部の状態遷移図である。
【図１１】第８実施形態におけるリモコン装置の正面図である。
【図１２】第８実施形態におけるリモコン装置の電気的構成を示すブロック図である。
【図１３】待機画面の他の例を示す図である。
【図１４】待機画面の他の例を示す図である。
【図１５】待機画面の他の例を示す図である。
【発明を実施するための形態】
【００１２】
（第１実施形態）
以下、第１実施形態について説明する。本実施形態の給湯システム１は、一般家庭等において給湯を行うためのシステムであり、図１に示すように、給湯装置１０およびリモコン装置１２０を有している。
【００１３】
給湯装置１０は、図１に示すように、貯湯タンク１１内に貯えられた蓄熱用流体等を熱源として、台所・洗面所・浴室などへの給湯機能の他に、浴槽５１への給湯用水の注水や、浴槽５１へ注水された給湯用水を追焚きする湯張り機能を有している。本実施形態では、蓄熱用流体として給湯側（熱負荷側）と同じ給湯用水を用いている。
【００１４】
給湯装置１０は、貯湯タンクユニット２０、ヒートポンプユニット１３、制御部１００を含む。貯湯タンクユニット２０は、貯湯タンク１１、沸上回路１２、熱負荷回路１４、給水用配管１５、給湯配管２７、風呂注湯ユニット７０、浴水循環回路８０を含んで構成される。
【００１５】
貯湯タンク１１は、蓄熱用流体を内部に貯える容器である。貯湯タンク１１は、縦長形状であり、貯湯タンク１１内部の貯湯量および貯湯温度を検出するために、その高さ方向に７個並んだ第１〜第７水温サーミスタ１１１〜１１７が設けられている。各水温サーミスタ１１１〜１１７は、後述する制御部１００に接続されており、各水位における貯湯タンク１１内に満たされた蓄熱用流体の温度情報が、制御部１００に出力される。本実施形態では、第１水温サーミスタ１１１により、貯湯タンク１１の上部における蓄熱用流体の温度を検出する。なお、後述の制御部１００は、各水温サーミスタ１１１〜１１７から出力される温度情報に基づいて、貯湯タンク１１内上方の湯と貯湯タンク１１内下方の沸き上げられる前の水との境界位置、および貯湯タンク１１内の貯湯量が検出可能となっている。
【００１６】
貯湯タンク１１は、その底面に導入口１１ａが設けられている。導入口１１ａには、貯湯タンク１１内に水道水を供給する水流入配管２１が接続されている。水流入配管２１には、断水などにおける湯の逆流を防止する逆止弁２６が設けられている。水流入配管２１に接続される水配管２２には、導入される水道水の水圧が所定圧となるように調節する減圧弁２３が設けられている。この水配管２２は、給水用配管１５を介して後述する風呂混合弁２４および給湯混合弁２５に接続されている。
【００１７】
ヒートポンプユニット１３は、入口配管３６から導入された蓄熱用流体を加熱して、出口配管３７から導出する加熱部である。本実施形態のヒートポンプユニット１３は、図示しないが、少なくとも圧縮機、放熱器としての水冷媒熱交換器、可変式減圧器、蒸発器、および気液分離器が閉回路を構成するように接続されたヒートポンプサイクルを有している。本実施形態のヒートポンプサイクルは、冷媒として二酸化炭素を採用しており、高圧側冷媒圧力が冷媒の臨界圧力を超える蒸気圧縮式の超臨界冷凍サイクルを構成している。
【００１８】
ヒートポンプユニット１３には、入口配管３６を通過してヒートポンプユニット１３に流入する蓄熱用流体の温度を検出する流入側サーミスタ１３ａが設けられている。流入側サーミスタ１３ａは、ヒートポンプユニット１３による蓄熱用流体の加熱能力を調整するために利用される温度情報を検出するもので、後述する制御部１００に接続されている。後述する制御部１００では、流入側サーミスタ１３ａの検出情報（すなわち温度情報）を利用して、可変式減圧器や圧縮機の運転を制御することで、ヒートポンプユニット１３の加熱能力を調整する。
【００１９】
ヒートポンプユニット１３は、水冷媒熱交換器の冷媒流路を流れる高温高圧の冷媒と、水冷媒熱交換器の水流路を流れる蓄熱用流体（すなわち水）との間で熱交換を行うことにより、蓄熱用流体を沸き上げることが可能となっている。
【００２０】
沸上回路１２は、貯湯タンク１１の下部から蓄熱用流体を取出してヒートポンプユニット１３で加熱し、再び蓄熱用流体を貯湯タンク１１の上部に戻すための回路である。沸上回路１２は、貯湯タンク１１の下部（すなわち底面側）と入口配管３６とを接続する沸上用往き配管３１、および出口配管３７と貯湯タンク１１の上部（すなわち上面側）とを接続する沸上用戻り配管３２を有する。
【００２１】
また、沸上回路１２は、貯湯タンク１１の下部の蓄熱用流体を、沸上用往き配管３１→入口配管３６→ヒートポンプユニット１３→出口配管３７→沸上用戻り配管３２→貯湯タンク１１の上部の順に流すための沸上用循環ポンプ３３が設けられている。沸上用循環ポンプ３３は、入口配管３６に配置されており、入口配管３６→ヒートポンプユニット１３→出口配管３７へと一方向に流すポンプで構成されている。なお、本実施形態では、沸上用循環ポンプ３３が沸上用ポンプを構成する。
【００２２】
本実施形態の沸上用戻り配管３２には、沸上用往き配管３１に連通するバイパス配管３５が接続されている。そして、沸上用戻り配管３２とバイパス配管３５との合流部には、流路切替弁３４が設けられている。流路切替弁３４は、沸上用戻り配管３２を流れる蓄熱用流体の流路を、貯湯タンク１１の上部へ向かう流路と、バイパス配管３５へ向かう流路へ切り替える三方弁である。
【００２３】
熱負荷回路１４は、貯湯タンク１１の蓄熱用流体と給湯用水（すなわち、浴槽５１に貯めた水等）とを熱交換させて、給湯用水を追焚きするための回路である。本実施形態の熱負荷回路１４は、取出配管４１、風呂熱交換器４２、取入配管４３、風呂１次ポンプ４４、および風呂１次逆止弁４６を有する。
【００２４】
取出配管４１は、沸上用戻り配管３２を介して貯湯タンク１１の上部から蓄熱用流体を取り出す配管であり、沸上用戻り配管３２における流路切替弁３４の上流側に接続されている。沸上用戻り配管３２における流路切替弁３４から貯湯タンク１１の上部へ至る配管４１０は、貯湯タンク１１の上部から取出配管４１へ蓄熱用流体を取り出すための配管（補助取出配管）としても機能する。
【００２５】
取出配管４１には、風呂１次逆止弁４６が設けられている。この風呂１次逆止弁４６は、蓄熱用流体が、取入配管４３側から風呂熱交換器４２を経由して取出配管４１側へ逆流することを防止するために設けられている。また、風呂１次逆止弁４６は、風呂１次ポンプ４４の運転停止時に、沸上用戻り配管３２の蓄熱用流体が取出配管４１側へ流入することを妨げる流通抵抗としても機能する。
【００２６】
風呂熱交換器４２は、取出配管４１を通過した蓄熱用流体を風呂側（すなわち熱負荷側）にて利用される給湯用水と熱交換させる熱負荷用熱交換器である。具体的には、風呂熱交換器４２は、蓄熱用流体が流通する第１流通部４２ａ、および給湯用水が流通する第２流通部４２ｂを有し、各流通部４２ａ、４２ｂを流れる流体同士が熱交換するように構成されている。
【００２７】
取入配管４３は、風呂熱交換器４２を通過した蓄熱用流体を貯湯タンク１１に戻す配管である。取入配管４３には、風呂１次ポンプ４４が設けられている。風呂１次ポンプ４４は、沸上用戻り配管３２の蓄熱用流体を、取出配管４１→風呂熱交換器４２→取入配管４３→貯湯タンク１１の順に流すものであり、追焚用ポンプを構成している。
【００２８】
風呂１次ポンプ４４は、流路切替弁３４で沸上用戻り配管３２と貯湯タンク１１の上部とが連通している際に、ヒートポンプユニット１３を流れる蓄熱用流体、および貯湯タンク１１の上部の蓄熱用流体それぞれを、沸上用戻り配管３２を介して取出配管４１へ流す。
【００２９】
また、風呂１次ポンプ４４は、流路切替弁３４で沸上用戻り配管３２と貯湯タンク１１の上部とが連通していない場合に、ヒートポンプユニット１３を流れる蓄熱用流体だけを沸上用戻り配管３２を介して取出配管４１へ流す。
【００３０】
なお、風呂１次ポンプ４４の運転停止時には、風呂１次逆止弁４６が沸上用戻り配管３２の蓄熱用流体が取出配管４１側へ流入することを妨げる流通抵抗となるので、沸上用戻り配管３２の蓄熱用流体が取出配管４１へ殆ど流入しない。このように、本実施形態では、風呂１次ポンプ４４の作動および流路切替弁３４の設定により、沸上用戻り配管３２から取出配管４１へ流す蓄熱用流体の流量が調整される。
【００３１】
給湯配管２７は、貯湯タンク１１の上部に接続され、貯湯タンク１１の上部の蓄熱用流体（すなわち高温水）を、最下流側に設けられた浴室のシャワー５４、台所や洗面所の蛇口等の給湯使用側端末へ導くため配管である。
【００３２】
給湯配管２７には、給湯使用側端末に至る経路の途中に、逃がし弁５２が配設された排出配管５３が接続されている。この逃がし弁５２は、貯湯タンク１１内の圧力が所定圧以上に上昇した際に、貯湯タンク１１の上部の蓄熱用流体（すなわち高温水）を外部に排出するものである。
【００３３】
また、給湯配管２７における排出配管５３との接続部よりも下流側には、中温水配管２９が接続されている。中温水配管２９は、貯湯タンク１１内の中段部を構成する中温水部から、貯湯タンク１１における中間温度となる蓄熱用流体（すなわち中温水）を導出するための配管である。
【００３４】
給湯配管２７と中温水配管２９との合流部には、中温水混合弁３０が設けられている。中温水混合弁３０は、給湯配管２７から取り出した高温水と中温水配管２９から取り出した中温水との混合比を調節可能に構成され、高温水と中温水との混合比の調節により、給湯配管２７を流れる蓄熱用流体の温度を調整する温度調整弁である。なお、中温水配管２９には、中温水混合弁３０を介して、貯湯タンク１１の上部の蓄熱用流体（すなわち高温水）が貯湯タンク１１の中温水部へ逆流することを防止するための中温水逆止弁１７が設けられている。
【００３５】
給湯配管２７における中温水混合弁３０よりも下流側には、給湯配管２７を流れる蓄熱用流体を、後述する風呂戻り配管８１を介して、浴槽５１へ導く風呂用配管２８が接続されている。風呂用配管２８には、給水用配管１５が接続されると共に当該給水用配管１５との合流部に風呂混合弁２４が設けられている。
【００３６】
風呂混合弁２４は、中温水混合弁３０にて温度調整された給湯用水の流量と、水配管２２から導入される給湯用水の流量の流量比を調節可能に構成され、当該流量比の調整により、風呂用配管２８の末端で出湯する給湯用水の温度を調整する温度調整弁である。なお、風呂混合弁２４における流量比の調整は、風呂混合弁２４の出口側に設けられた風呂サーミスタ７３の検出値に応じて行われる。
【００３７】
風呂用配管２８における風呂混合弁２４の下流側には、浴槽５１に注湯するための風呂注湯ユニット７０が設けられている。風呂注湯ユニット７０は、風呂用電磁弁７１、逆流防止弁７２、風呂用配管２８に流れる温水の温度を検出する風呂サーミスタ７３、風呂用配管２８に流れる温水の流量を検出する風呂用流量カウンタ７４、および２つの風呂用逆止弁７５を有する。
【００３８】
風呂用電磁弁７１は、浴槽５１に湯張り、足し湯をするときに開弁される。風呂用電磁弁７１は、風呂用流量カウンタ７４により検出された流量情報に基づいて所定の流量の混合湯が出湯されるように制御部１００で制御される。なお、風呂用流量カウンタ７４にて風呂用配管２８内の水の流れを検出したときは、風呂用電磁弁７１が開弁されて給湯用水を出湯している状態である。
【００３９】
２つの風呂用逆止弁７５は、後述する浴水循環回路８０内の給湯用水の風呂混合弁２４側への逆流を防止するために設けられている。また、２つの風呂用逆止弁７５間には、排出経路上流端を接続すると共に風呂混合弁２４下流側に導圧管を接続した逆流防止弁７２が設けられる。逆流防止弁７２は、給湯配管２７側に浸入しようとする給湯用水がある場合に、両接続点の圧力差に応じて逆流防止弁７２を作動させて、給湯用水を風呂注湯ユニット７０の外部に排出できるようになっている。
【００４０】
給湯配管２７における風呂用配管２８との接続部よりも下流側には、給水用配管１５が接続されると共に当該給水用配管１５との合流部に給湯混合弁２５が設けられている。この給湯混合弁２５は、中温水混合弁３０にて温度調整された水の流量と、水配管２２から導入される水の流量の流量比を調節可能に構成され、当該流量比の調整により、給湯配管２７の末端で出湯する水の温度を調整する温度調整弁である。なお、給湯混合弁２５における流量比の調整は、給湯混合弁２５の出口側に設けられた給湯サーミスタ６１の検出値に応じて行われる。
【００４１】
給湯配管２７における給湯混合弁２５よりも下流側には、給湯配管２７に流れる水の温度を検出する給湯サーミスタ６１、給湯配管２７に流れる水の流量を検出する給湯用流量カウンタ６２、および給湯用逆止弁６３が設けられる。
【００４２】
給湯用逆止弁６３は、給湯配管２７の末端のシャワー５４等から給湯混合弁２５側への蓄熱用流体の逆流を防止するために設けられている。なお、給湯用流量カウンタ６２にて給湯配管２７内の水の流れを検出したときは、給湯配管２７の末端にあるシャワー５４等で給湯用水を出湯している状態である。
【００４３】
続いて、浴水循環回路８０について説明する。浴水循環回路８０は、浴槽５１に貯められた給湯用水を風呂熱交換器４２へ循環させて、浴槽５１内の給湯用水を追焚きするための回路である。なお、本実施形態では、風呂注湯ユニット７０および浴水循環回路８０が「浴槽回路」を構成する。
【００４４】
本実施形態の浴水循環回路８０は、風呂戻り配管８１、および風呂往き配管８２を有している。風呂戻り配管８１は、浴槽５１内の給湯用水を追焚きする追焚運転時に、浴槽５１内の給湯用水を風呂熱交換器４２の入口側へ導くと共に、浴槽５１へ注水する注水運転時に、風呂熱交換器４２を経由せずに、低温の水を浴槽５１へ導く配管である。
【００４５】
ここで、風呂戻り配管８１には、風呂循環ポンプ８４と風呂熱交換器４２との間に、風呂用配管２８の下流端が接続されている。これにより、浴槽５１の湯張り運転時に、風呂用電磁弁７１が開弁されると、風呂混合弁２４により所望の温度に調整された給湯用水が、風呂戻り配管８１から浴槽５１へ供給される。それと共に、風呂戻り配管８１から風呂熱交換器４２および風呂往き配管８２を介して浴槽５１へ供給される。
【００４６】
風呂往き配管８２は、注水運転や追焚運転を実施する際に、風呂熱交換器４２で熱交換された給湯用水を浴槽５１内に導く配管である。なお、本実施形態では、風呂往き配管８２が浴槽導入配管を構成する。
【００４７】
風呂戻り配管８１には、浴槽５１側から順に、水位センサ８７、風呂循環センサ８３、
風呂追焚きサーミスタ８５、および風呂循環ポンプ８４が設けられている。また、風呂往
き配管８２には、風呂熱交サーミスタ８６が設けられている。
【００４８】
風呂循環ポンプ８４は、浴槽５１内の給湯用水を追焚きする際に、浴槽５１内の給湯用水を、風呂戻り配管８１→風呂熱交換器４２→風呂往き配管８２→浴槽５１の順に流すポンプである。なお、本実施形態では、風呂循環ポンプ８４が浴槽５１の給湯用水を風呂熱交換器４２へ供給すると共に、風呂熱交換器４２を通過した給湯用水を戻す「浴槽循環ポンプ」を構成している。また、本実施形態では、風呂用電磁弁７１および風呂循環ポンプ８４が、風呂往き配管８２を介して風呂熱交換器４２を通過した給湯用水を浴槽５１へ供給するための浴槽供給手段を構成する。
【００４９】
水位センサ８７は、浴槽５１内の水位を検出する水位検出手段である。浴槽５１内の水位上昇に伴って、風呂戻り配管８１内の水圧（静圧）が上昇する。このため、本実施形態では、風呂戻り配管８１内の水圧を検出する圧力センサを水位センサ８７として採用している。
【００５０】
風呂循環センサ８３は、風呂戻り配管８１にて給湯用水が流れているか否かを検出するもので、本実施形態では、流量センサ（フロースイッチ）を採用している。本実施形態の風呂循環センサ８３は、風呂戻り配管８１に水が流れている際にオン信号を出力し、風呂戻り配管８１に水が流れていない際にオフ信号を出力する。
【００５１】
風呂追焚きサーミスタ８５は、風呂戻り配管８１を流れる水の温度を検出する温度センサである。前述の如く、風呂戻り配管８１には、追焚運転や注水運転を行う際に、風呂熱交換器４２を通過していない水が流れる。このため、風呂追焚きサーミスタ８５は、追焚き運転時に、風呂熱交換器４２を通過する前の浴槽５１内の水温を検出し、注水時に、風呂熱交換器４２を通過する前の水温を検出することになる。
【００５２】
ここで、本実施形態の風呂追焚きサーミスタ８５は、風呂循環ポンプ８４の運転により浴槽５１から風呂熱交換器４２に供給される給湯用水の温度（浴槽５１内の水温）を検出可能となっており、後述する制御部１００に接続されている。後述する制御部１００では、風呂追焚きサーミスタ８５で検出した温度を利用して、浴槽５１内の給湯用水の温度を検出する。
【００５３】
続いて、風呂熱交サーミスタ８６は、風呂熱交換器４２の出口温度を検出する温度センサである。風呂戻り配管８１には、追焚運転時や注水運転時に、風呂熱交換器４２を通過した後の水が流れる。このため、風呂熱交サーミスタ８６は、追焚運転時および注水運転時のいずれの場合も、風呂熱交換器４２を通過した後の給湯用水の温度を検出することになる。なお、本実施形態では、風呂熱交サーミスタ８６が「第２温度検出手段」を構成している。
【００５４】
ここで、本実施形態の風呂熱交サーミスタ８６は、風呂熱交換器４２における熱交換能力を調整するために利用される温度情報を検出するものであり、後述する制御部１００に接続されている。後述する制御部１００では、風呂熱交サーミスタ８６で検出した温度情報を利用して、風呂１次ポンプ４４の回転数を制御することで、風呂熱交換器４２における熱交換能力を調整する。
【００５５】
本実施形態の浴槽５１には、浴槽５１に対して風呂戻り配管８１、および風呂往き配管８２を接続する浴槽アダプタ５１ａが設けられている。浴槽アダプタ５１ａは、浴槽５１における給湯用水の出入口であり、浴槽アダプタ５１ａを介して、追焚運転時に、浴槽５１内の給湯用水が風呂熱交換器４２側へ取り出され、注水運転時に浴槽５１内へ給湯用水が供給される。
【００５６】
また、本実施形態の浴槽５１には、浴槽５１内の給湯用水を排出する排出穴５１ｃを閉塞する浴槽栓５１ｂが設けられている。排出穴５１ｃは、図示しない排水路に連通しており、浴槽栓５１ｂが排出穴５１ｃから抜かれた際に、浴槽５１内の給湯用水が排出される。
【００５７】
続いて、本実施形態の給湯装置の電子制御部である制御部１００について説明する。制御部１００は、マイクロコンピュータを主体として構成され、記憶手段として内蔵する各種メモリ（ＲＯＭ、ＲＡＭ、ＥＥＰＲＯＭ等）に、予め設定された制御プログラムや更新可能な制御プログラムが記憶されている。
【００５８】
制御部１００の入力側には、各サーミスタ１１１〜１１７、１３ａ、６１、７３、８５、８６、各流量カウンタ６２、７４、風呂循環センサ８３、水位センサ８７等の給湯用のセンサ群が接続されている。また、制御部１００には、リモコン装置１２０が双方向に通信可能に接続されている。
【００５９】
制御部１００の出力側には、ヒートポンプユニット１３、各混合弁２４、２５、３０、風呂用電磁弁７１、流路切替弁３４、各循環ポンプ３３、４４、８４等の各種制御機器が接続されている。制御部１００では、給湯用のセンサ群の検出情報やリモコン１２０からの操作信号等に基づいて、各種制御機器を制御する。
【００６０】
リモコン装置１２０は、ユーザの操作を受け付けて、受け付けた操作に応じて給湯装置１０の制御部１００に動作指令を出力する。動作指令は、追焚運転指令、湯張り運転指令等がある。
【００６１】
制御部１００に対して、沸上運転、追焚運転、湯張り運転等の各種運転の実行を要求するためのユーザ操作を受け付ける操作装置である。リモコン装置１２０は、浴室に設置されている。リモコン装置１２０は、給湯装置１０の作動に関するユーザの操作を受け付けて、その操作に応じた信号を制御部１００に出力する。
【００６２】
リモコン装置１２０は、図２、図３に示すように、筐体１２１、通信部１２２、表示部１２３、スピーカ１２４ａ、マイク１２４ｂ、複数個の機能スイッチ１２５ａ〜１２５ｇ、決定スイッチ１２６、複数個のカーソルスイッチ１２７ａ〜１２７ｄ、および処理部１２８を有している。
【００６３】
筐体１２１は、リモコン装置１２０の他の部品１２２〜１２８を収容する部材である。通信部１２２は、壁等に固定されていてもよいし、ユーザによって持ち運び可能となっていてもよい。
【００６４】
通信部１２２は、筐体１２１の内部に配置され、処理部１２８と制御部１００との通信を媒介するインターフェース回路である。筐体１２１と制御部１００とは、ケーブルで接続されていてもよいし、無線で接続されていてもよい。
【００６５】
表示部１２３は、液晶パネルとバックライトとを有する液晶ディスプレイであり筐体１２１の表面から外側に露出して配置されている。液晶パネルによる情報表示の明るさレベルは、バックライトの輝度が高いほど高い。スピーカ１２４ａは、リモコン装置１２０の近くにいるユーザに聞こえるように音を出力する装置である。マイク１２４ｂは、リモコン装置１２０の近くにいるユーザの発した音声が入力される装置である。
【００６６】
機能スイッチ１２５ａ〜１２５ｇ、決定スイッチ１２６、カーソルスイッチ１２７ａ〜１２７ｄの各々は、筐体１２１の表面から外側に露出してユーザの操作を受け付けるメカニカルスイッチである。これらメカニカルスイッチは、全体として操作受付部に対応する。なお、メカニカルスイッチに対するユーザの操作とは、例えば、当該メカニカルスイッチを押す操作であってもよいし、当該メカニカルスイッチを押して離す操作であってもよい。
【００６７】
カーソルスイッチ１２７ａ〜１２７ｄは、決定スイッチ１２６を囲んで配置されている。決定スイッチ１２６およびカーソルスイッチ１２７ａ〜１２７ｄのそれぞれは、設定スイッチである。
【００６８】
機能スイッチ１２５ａ〜１２５ｇは、後述する基準光レベルにおいて表示部１２３の表示内容を確認しなくても機能が認識できるスイッチである。一方、設定スイッチは、後述する基準光レベルにおいて表示部１２３の表示内容を確認しないと機能が認識できないスイッチである。
【００６９】
処理部１２８は、ＣＰＵ、ＲＡＭ、ＲＯＭ、フラッシュメモリ等を有するマイクロコンピュータである。ＣＰＵが、ＲＯＭまたはフラッシュメモリに記録されているプログラムを実行することで、処理部１２８の後述する処理が実現する。処理部１２８が当該処理を実行する際、機能スイッチ１２５ａ〜１２５ｇ、決定スイッチ１２６、カーソルスイッチ１２７ａ〜１２７ｄが受け付けたユーザの操作に応じた作動を行う。更に処理部１２８は、必要に応じて表示部１２３に情報表示を行わせると共に、表示部１２３の明るさレベルの制御を行う。更に処理部１２８は、必要に応じて表示部１２３を用いて制御部１００に対して動作指令を出力する。
【００７０】
以下、このような構成の給湯システム１の作動について、図４の状態遷移図を用いて説明する。この状態遷移図は、リモコン装置１２０の処理部１２８の状態および状態遷移の処理内容を示すものである。まず、リモコン装置１２０が起動すると、処理部１２８は、標準状態Ｓ１に移行する。この標準状態Ｓ１では、処理部１２８は、表示部１２３に標準画面Ｄ１を表示させると共に、表示部１２３の明るさレベルを基準光レベルにする。この基準光レベルは、後述する減光レベルに比べて明るさレベルが低い。したがって、基準光レベルにおけるバックライトの輝度は、減光レベルにおけるバックライトの輝度よりも高い。表示部１２３の明るさレベルが基準光レベルである場合は、減光レベルである場合に比べ、表示画面である液晶パネルに表示された情報の視認性が高い。
【００７１】
標準画面Ｄ１では、現在時刻、ふろ温度、給湯温度、ふろ関連の機能の作動中表示等、複数種類の情報を同じ画面内に表している。ふろ温度は、浴槽５１に貯められている湯の温度の目標値であり、給湯温度は、浴槽５１に供給される湯の温度の目標値であり、いずれもユーザによって設定される。
【００７２】
ふろ関連の機能は、浴槽５１に供給される湯の量および温度のうちいずれか一方または両方を調整する機能である。例えば、ふろ関連の機能の作動中表示は、湯増し中、ぬるめ保温中、追焚き中、湯張り中、等の表示である。標準画面Ｄ１は、第１の情報表示画面に対応する。
【００７３】
標準状態Ｓ１において、機能スイッチ１２５ａ〜１２５ｇのうちいずれかがユーザの操作を受け付けた場合、処理部１２８は、標準状態Ｓ１から機能実現状態Ｓ０への遷移Ｔ１を実行する。なお、機能スイッチ１２５ａ〜１２５ｇのうちいずれかを操作することが、機能実現操作に対応する。機能実現状態Ｓ０は、機能スイッチ１２５ａ〜１２５ｇの数だけ子状態を有する。そして、処理部１２８は、機能スイッチ１２５ａ〜１２５ｇのうちユーザの操作を受け付けたスイッチに対応する子状態に遷移する。当該子状態に遷移した処理部１２８は、当該子状態が実現する機能に応じた画面Ｄ０を、表示部１２３に表示させる。
【００７４】
例えば、標準状態Ｓ１において、機能スイッチ１２５ａ〜１２５ｇの１つである通話スイッチがユーザの操作を受け付けた場合、処理部１２８は、当該通話スイッチに対応した機能実現状態Ｓ０の子状態に遷移する。そして処理部１２８は、当該子状態において、マイク１２８ｂに入力されたユーザの音声を電気信号に変換して、不図示の他のリモコン装置（例えば、リビングルームに設置されたリモコン装置）に送信する。当該他のリモコン装置は、リモコン装置１２０から送信された音声の電気信号を受信すると、当該電気信号に応じた音声を自機のスピーカに出力させる。当該他のリモコン装置のマイクに、当該他のリモコン装置の近くにいる人の音声が入力されると、当該他のリモコン装置は、当該音声を電気信号に変換して、リモコン装置１２０に送信する。リモコン装置１２０の処理部１２８は、当該他のリモコン装置から送信された音声の電気信号を受信すると、当該電気信号に応じた音声をスピーカ１２４ａ出力させる。これにより、リモコン装置１２０のユーザと当該他のリモコン装置の近くの人との通話が実現する。
【００７５】
そして処理部１２８は、当該子状態において、通話中であることを示す画面Ｄ０を基準光レベルにおいて表示部１２３に表示させる。この通話をしていることを示す画面には、通話時間と音量の設定画像が表される。
【００７６】
ユーザは、通話時間と音量の設定画像を確認することで、カーソルスイッチ１２７ａ〜１２７ｄを操作すれば、現在表示されている通話時間と音量の値を変化させることができることを知る。また、ユーザは、通話時間と音量の設定画像を確認することで、決定スイッチ１２６を操作すれば現在表示されている通話時間と音量の値が確定することを、知る。ユーザが、カーソルスイッチ１２７ａ〜１２７ｄを操作して通話時間と音量を所望の値にした後に決定スイッチ１２６を操作して通話時間と音量を確定すると、リモコン装置１２０は、確定した通話時間と音量を実現する。具体的には、処理部１２８は、当該他のリモコンから受信した電気信号に応じた音声をスピーカ１２４ａに出力させるときの音量を、当該確定した音量にするよう、当該電気信号の増幅率を調整する。また、処理部１２８は、当該子状態に遷移してからの経過時間が当該確定した通話時間になった時点で、通話機能を終了して、標準状態Ｓ１への遷移Ｔ２を実行する。
【００７７】
また例えば、標準状態Ｓ１において、機能スイッチ１２５ａ〜１２５ｇの１つである湯張りスイッチがユーザの操作を受け付けた場合、処理部１２８は、当該湯張りスイッチに対応した機能実現状態Ｓ０の子状態に遷移する。そして処理部１２８は、当該子状態において、通信部１２２を用いて湯張り運転指令を制御部１００に出力する。それと共に、処理部１２８は、湯張りしていることを示す画面を基準光レベルにおいて表示部１２３に表示させる。この湯張りしていることを示す画面には、目標湯張り量の設定画像が表される。目標湯張り量とは、湯張りによって浴槽５１に貯められる湯の量の目標値である。目標湯張り量の設定画像は、目標湯張り量を表す数値と、上下矢印とが表されている。ユーザは、目標湯張り量の設定画像を確認することで、カーソルスイッチ１２７ａ〜１２７ｄを操作すれば、現在表示されている目標湯張り量の値を変化させることができることを知る。また、ユーザは、目標湯張り量の設定画像を確認することで、決定スイッチ１２６を操作すれば現在表示されている目標湯張り量の値が確定することを、知る。ユーザが、カーソルスイッチ１２７ａ〜１２７ｄを操作して目標湯張り量の値を所望の値にした後に決定スイッチ１２６を操作して目標湯張り量を確定すると、リモコン装置１２０は、確定した目標湯張り量を、通信部１２２を用いて、制御部１００に送信する。
【００７８】
湯張り運転指令および目標湯張り量をリモコン装置１２０から受けた制御部１００は、風呂用電磁弁７１を開弁させる。この際の給水圧力により貯湯タンク１１内の蓄熱用流体が給湯配管２７側へ押し出され、貯湯タンク１１からの湯および水流入配管２１からの水が風呂混合弁２４で混合されて所望の温度（すなわち、湯張り設定温度）に調整される。そして、風呂混合弁２４で温度調整された湯が、ユーザによって設定された目標湯張り量の分だけ、浴水循環回路８０を介して浴槽５１へ供給される。目標湯張り量の分だけ浴槽５１へ湯が供給されると、処理部１２８は、湯張り機能を終了して、標準状態Ｓ１への遷移Ｔ２を実行する。
【００７９】
また例えば、標準状態Ｓ１において、機能スイッチ１２５ａ〜１２５ｇの１つである追焚きスイッチがユーザの操作を受け付けた場合、処理部１２８は、当該追焚きスイッチに対応した機能実現状態Ｓ０の子状態に遷移する。そして処理部１２８は、当該子状態において、通信部１２２を用いて追焚き運転指令を制御部１００に出力する。それと共に、処理部１２８は、追焚きしていることを示す画面を基準光レベルにおいて表示部１２３に表示させる。この追焚きしていることを示す画面には、目標追焚き温度の設定画像が表される。目標追焚き温度とは、追焚きによって浴槽５１内の湯で実現する温度の目標値である。目標追焚き温度の設定画像は、目標追焚き温度を表す数値と、上下矢印とが表されている。ユーザは、目標追焚き温度の設定画像を確認することで、カーソルスイッチ１２７ａ〜１２７ｄを操作すれば、現在表示されている目標追焚き温度の値を変化させることができることを知る。また、ユーザは、目標追焚き温度の設定画像を確認することで、決定スイッチ１２６を操作すれば現在表示されている目標追焚き温度の値が確定することを、知る。ユーザが、カーソルスイッチ１２７ａ〜１２７ｄを操作して目標追焚き温度の値を所望の値にした後に決定スイッチ１２６を操作して目標追焚き温度を確定すると、リモコン装置１２０は、確定した目標追焚き温度を、通信部１２２を用いて制御部１００に送信する。
【００８０】
追焚き運転指令および目標追焚き温度をリモコン装置１２０から受けた制御部１００は、まず、風呂循環ポンプ８４を運転させ、浴槽５１内の給湯用水を浴水循環回路８０内に取り込んで風呂熱交換器４２に循環させる。その状態で、制御部１００は、沸上用戻り配管３２と貯湯タンク１１の上部とが連通するように流路切替弁３４を制御し、風呂１次ポンプ４４を運転させる。
【００８１】
これにより、ヒートポンプユニット１３から直接供給される蓄熱用流体、および貯湯タンク１１内の蓄熱用流体が、取出配管４１を通じて風呂熱交換器４２に流れる。この際、風呂熱交換器４２では、蓄熱用流体と浴槽５１からの給湯用水とが熱交換して、給湯用水の温度が上昇する。なお、風呂熱交換器４２を通過して温度低下した蓄熱用流体は、取入配管４３を通じて貯湯タンク１１に戻る。
【００８２】
さらに、制御部１００は、追焚き運転時に、風呂熱交換器４２を通過した給湯用水の温度を風呂熱交サーミスタ８６で検出する。そして、風呂熱交サーミスタ８６で検出した検出温度に基づいて、風呂熱交換器４２を通過した給湯用水の温度が目標追焚き温度となるように、風呂１次ポンプ４４の回転数を制御する。これにより、浴槽５１内の湯の温度が目標追焚き温度まで上昇する。浴槽５１内の湯の温度が目標追焚き温度まで上昇すると、処理部１２８は、追焚き機能を終了して、標準状態Ｓ１への遷移Ｔ２を実行する。
【００８３】
このように、機能スイッチ１２５ａ〜１２５ｇには、基準光レベルにおいて機能があらかじめ一意に固定的に割り当てられている。したがって、ユーザは、基準光レベルにおいて、表示部１２３の表示内容を確認しなくても機能スイッチ１２５ａ〜１２５ｇによって実現する機能が一意に認識できる。つまり、機能スイッチ１２５ａ〜１２５ｇに対する操作すなわち機能実現操作は、基準光レベルにおいて機能実現操作にあらかじめ固定的に割り当てられた機能を実現するための操作である。
【００８４】
一方、設定スイッチ（すなわち、決定スイッチ１２６、カーソルスイッチ１２７ａ〜１２７ｄ）は、基準光レベルにおいて表示部１２３に表示されている画面によって、その機能が異なる。上述の例では、機能スイッチ１２５ａ〜１２５ｇは、表示画面によって、通話時間と音量の変更機能を有する場合、目標湯張り量の変更機能を有する場合、目標追焚き温度の変更機能を有する場合がある。また、決定スイッチ１２６は、表示画面によって、通話時間と音量を確定する機能を有する場合、目標湯張り量を確定する機能を有する場合、目標追焚き温度を確定する機能を有する場合がある。したがって、設定スイッチは、基準光レベルにおいて表示部１２３の表示内容を確認しないと機能が認識できないスイッチである。
【００８５】
なお、機能スイッチ１２５ａ〜１２５ｇには、その他にも、浴室優先スイッチ、快適温流スイッチ、湯増しスイッチ、エコマメスイッチ、おこのみスイッチ等がある。浴室優先スイッチは、他のリモコン装置に対する操作よりもリモコン装置１２０に対する操作を優先させる機能に対応する。快適温流スイッチは、快適性向上のための湯の流れを浴槽５１内に発生させる機能に対応する。湯増しスイッチは、貯湯タンク１１内の湯の量を増加させる機能に対応する。エコマメスイッチは、各種省エネルギー関係の画像を表示する機能に対応する。お好みスイッチは、ユーザが自分でレイアウトを設定した画面を表示する機能に対応する。
【００８６】
標準状態Ｓ１において、機能スイッチ１２５ａ〜１２５ｇ、決定スイッチ１２６、カーソルスイッチ１２７ａ〜１２７ｄのどれもユーザの操作を受け付けない（すなわち、操作がない）状態が第１の所定時間以上継続したとする。すると、処理部１２８は、当該状態が第１の所定時間以上継続したことに基づいて、標準状態Ｓ１から待機状態Ｓ２への遷移Ｔ３を実行する。
【００８７】
待機状態Ｓ２において処理部１２８は、待機画面Ｄ２を表示部１２３に表示させると共に、表示部１２３の明るさレベルを基準光レベルにする。待機画面Ｄ２には、時刻が、標準画面Ｄ１よりも大きなサイズの文字で表されている。また、待機画面Ｄ２には、標準画面Ｄ１に表されている時刻以外の情報（例えば、貯湯タンク１１における貯湯量の表示）は表されていない。また、待機画面Ｄ２には、標準画面Ｄ１では表示されなかった情報である日付が、表されている。したがって、待機画面Ｄ２に表されている情報の種類数は、標準画面Ｄ１に表されている情報の種類数よりも少ない。このように、待機画面Ｄ２は、標準画面Ｄ１とは表示する内容が異なる。待機画面Ｄ２は、第２の情報表示画面に対応する。
【００８８】
例えば浴室で入浴する場合、ユーザはメガネやコンタクトレンズを外すことが多い。その状態で、リモコン装置１２０の表示部１２３の表示内容を確認しようとしても、文字が小さくて認識できないことがある。また、入浴中に時刻を確認したい場合、浴室内ではリモコン装置１２０以外に確認する方法が無いケースが多い。そのため、時刻の文字が見にくく確認が困難だと、ユーザは製品に不満を持つ恐れがある。しかし、上記のように、文字を大きくするなど視認性を向上させた待機画面Ｄ２を標準画面Ｄ１に代えて表示する場面があることで、ユーザの利便性が高まる。ただし、待機画面Ｄ２を表示する待機状態Ｓ２を追加すると、表示画面の切り替え操作が複雑化する可能性がある。
【００８９】
待機状態Ｓ２において、設定スイッチがユーザの操作を受け付けると、処理部１２８は、待機状態Ｓ２から標準状態Ｓ１への遷移Ｔ４を実行する。また、待機状態Ｓ２において、機能スイッチ１２５ａ〜１２５ｇ、決定スイッチ１２６、カーソルスイッチ１２７ａ〜１２７ｄのどれもユーザの操作を受け付けない（すなわち、操作がない）状態が第２の所定時間以上継続したとする。すると、処理部１２８は、当該状態が第２の所定時間以上継続したことに基づいて、待機状態Ｓ２から減光状態Ｓ３への遷移Ｔ５を実行する。第２の所定時間は、第１の所定時間と同じであってもよいし異なっていてもよい。
【００９０】
減光状態Ｓ３において処理部１２８は、表示部１２３の明るさレベルを減光レベルにする。具体的には、表示部１２３のバックライトの輝度を、基準光レベルのときよりも低くする。例えば、バックライトを消灯する。
【００９１】
これにより、表示部１２３は、待機状態Ｓ２と同様の待機画面Ｄ２を表示させるものの、その表示は待機状態Ｓ２に比べて暗くなる。待機状態Ｓ２から減光状態Ｓ３に遷移することで、リモコン装置１２０の消費電力が抑えられる。
【００９２】
ただし、減光状態Ｓ３においては、表示部１２３の表示画面の内容を視認することはできるものの、視認の容易さは、基準光レベルの場合よりも低下する。したがって、ユーザがリモコン装置１２０に対して何かしらの操作をすることで、明るさレベルが減光レベルから基準光レベルに戻る機能を追加することが望ましい。しかし、この操作も加わると、画面の切り替え操作が更に複雑化してしまう恐れがある。その結果、減光状態Ｓ３からユーザが望む表示画面を表示する状態まで遷移させるための操作が煩雑になってしまう可能性がある。ユーザがリモコン装置１２０に対して操作を行って表示部１２３を明るくする場合に、ユーザが見たい画面は常に同じとは限らないからである。
【００９３】
例えば、入浴者であるユーザにとって表示部１２３の表示を確認する目的が２つある場合がある。１つは、時刻や貯湯量など現時点で暗く表示されている情報を確認する目的である。もう１つは、追焚きや湯張りなどの操作後に、「湯まし表示が出る」「湯張りのアニメーションが出る」など、給湯装置１０が正常に動作しているかを確認する目的である。そのため、状況に応じて、すなわち、ユーザが情報を正確に確認したいのか、あるいは、機能操作の反応を確認したいのかで、表示が求められる情報も変わってくる。
【００９４】
処理部１２８は、このようなニーズに対応するための遷移を実行する。すなわち、処理部１２８は、減光状態Ｓ３において、設定スイッチが操作された場合と機能スイッチ１２５ａ〜１２５ｇが操作された場合とで、遷移先が異なる。
【００９５】
具体的には、処理部１２８は、減光状態Ｓ３において、機能スイッチ１２５ａ〜１２５ｇのいずれかへの操作を受け付けた場合、減光状態Ｓ３から標準状態Ｓ１への遷移Ｔ６を実行する。これにより、表示部１２３の明るさレベルが減光レベルから基準光レベルになる。すなわち、表示部１２３が明るくなる。更に、表示画面が待機画面Ｄ２から標準画面Ｄ１に変化する。
【００９６】
また、処理部１２８は、減光状態Ｓ３において、設定スイッチの操作を受け付けた場合、減光状態Ｓ３から待機状態Ｓ２への遷移Ｔ７を実行する。これにより、表示部１２３の明るさレベルが減光レベルから基準光レベルになる。すなわち、表示部１２３が明るくなる。
【００９７】
このように、リモコン装置１２０は、減光レベルにおいて機能実現操作すなわち機能スイッチ１２５ａ〜１２５ｇのいずれかへの操作を受け付けたことに基づいて、明るさレベルを基準光レベルにして表示部１２３に標準画面Ｄ１を表示させる。このようにするのは、機能実現操作をユーザが行ったということは、標準画面Ｄ１において同じ操作を行いたい可能性が高いと考えられるからでもある。このように、画面確認の必要性が異なるスイッチ毎に減光状態Ｓ３からの遷移先を変えることで、減光状態Ｓ３において表示電力の抑制を行いながら文字拡大による視認性の低減を抑制する上に、操作の利便性を高めることができる。
【００９８】
また、リモコン装置１２０は、減光レベルにおいて機能実現操作以外の操作すなわち設定キーの操作をユーザが行ったということは、標準画面Ｄ１において同じ操作を行いたいわけではないと考えられる。したがって、上記のように、リモコン装置１２０は、減光レベルにおい機能実現操作以外の操作を受け付けたことに基づいて、明るさレベルを基準光レベルに切り替えると共に待機画面Ｄ２を表示部１２３に表示させる。
【００９９】
このように、リモコン装置１２０は、ユーザの操作によって減光レベルから基準光レベルになったときに、ユーザのニーズに合った画面を表示することで、表示される画面のバリエーションを増やすことができる。
【０１００】
なお、本実施形態においては、処理部１２８が、遷移Ｔ１を実行することで機能実現部に対応し、遷移Ｔ５を実行することで減光部に対応し、遷移Ｔ６を実行することで第１復帰部に対応し、遷移Ｔ７を実行することで第２復帰部に対応する。
【０１０１】
（第２実施形態）
次に第２実施形態について、図５を用いて説明する。本実施形態の給湯システム１のハードウェア構成は、第１実施形態と同じである。本実施形態が第１実施形態と異なるのは、処理部１２８の処理内容である。図５は、本実施形態の処理部１２８の状態および状態間の遷移を示す状態遷移図である。本実施形態は、第１実施形態に比べ、遷移Ｔ８が追加されている。その他の状態遷移は、第１実施形態と同様である。
【０１０２】
処理部１２８は、遷移Ｔ７によって減光状態Ｓ３から待機状態Ｓ２に遷移した場合、待機状態Ｓ２において、操作がない状態が第３の所定時間以上継続したとする。操作がない状態とは、機能スイッチ１２５ａ〜１２５ｇ、決定スイッチ１２６、カーソルスイッチ１２７ａ〜１２７ｄのどれからもユーザの操作を受け付けない状態である。すると、処理部１２８は、当該状態が第３の所定時間以上継続したことに基づいて、待機状態Ｓ２から標準状態Ｓ１への遷移Ｔ８を実行する。なお、第３の所定時間は、第２の所定時間より短い時間とする。
【０１０３】
これにより、減光状態Ｓ３でユーザが設定スイッチを操作するだけで、その後、待機状態Ｓ２で基準光レベルにて待機画面Ｄ２が表示される。そしてさらにその後、自動的に（すなわち操作受付部に対してユーザが他の操作をしなくても）、標準状態Ｓ１で基準光レベルにて標準画面Ｄ１が表示される。したがって、ユーザの操作負担を減らした上で、標準画面Ｄ１を見たいというニーズも、待機画面Ｄ２を見たいというニーズも、満たすことができる。また、第１実施形態と同等の構成からは同等の効果を得ることができる。なお、本実施形態においては、処理部１２８が遷移Ｔ８を実行することで、自動切替部に対応する。
【０１０４】
（第３実施形態）
次に第３実施形態について、図６を用いて説明する。本実施形態の給湯システム１のハードウェア構成は、第１、第２実施形態と同じである。本実施形態が第１、第２実施形態と異なるのは、処理部１２８の処理内容である。具体的には、本実施形態が第１、第２実施形態と異なるのは、減光状態Ｓ３において表示部１２３に表示させる表示画面の内容である。その他の処理部１２８の処理は、第１、第２実施形態と同じである。
【０１０５】
図６に示すように、本実施形態においては、減光状態Ｓ３では表示部１２３の明るさレベルが減光レベルであるのは、第１、第２実施形態と同じである。しかし、表示部１２３に表示させる画像は、待機状態Ｓ２における待機画面Ｄ２とは異なる減光時画面Ｄ３である。つまり、処理部１２８は、遷移Ｔ５によって減光状態Ｓ３に遷移したとき、明るさレベルを減光レベルに変化させると共に、表示部１２３の表示画面を、待機画面Ｄ２から減光時画面Ｄ３に切り替える。
【０１０６】
減光時画面Ｄ３は、図６に示すように、待機画面Ｄ２に比べて、日付の情報が省かれた上に、時刻の情報がより大きく表されている。つまり、減光時画面Ｄ３では、待機画面Ｄ２のうち一部の情報（すなわち日付）が省略されて他の情報（すなわち、時刻）が待機画面Ｄ２よりも大きく表される。減光時画面Ｄ３は、第３の情報表示画面に対応する。このようにすることで、明るさレベルが減光レベルである減光状態Ｓ３の場合における視認性の低下を抑えることができる。また、第１、第２実施形態と同等の構成からは同等の効果を得ることができる。
【０１０７】
（第４実施形態）
次に第４実施形態について、図７、図８を用いて説明する。本実施形態の給湯システム１は、図７に示すように、第１実施形態における構成に加え、切替スイッチ１３０を有している。
【０１０８】
切替スイッチ１３０は、筐体１２１の表面から外側に露出してユーザの操作を受け付けるメカニカルスイッチである。本実施形態では、機能スイッチ１２５ａ〜１２５ｇ、決定スイッチ１２６、カーソルスイッチ１２７ａ〜１２７ｄ、切替スイッチ１３０が、全体として操作受付部に対応する。切替スイッチ１３０は、機能スイッチとも設定スイッチとも異なる。
【０１０９】
図８は、本実施形態の処理部１２８の状態および状態間の遷移を示す状態遷移図である。本実施形態は、第１実施形態に比べ、遷移Ｔ９、Ｔ１０が追加されている。その他の状態遷移は、第１実施形態と同様である。
【０１１０】
標準状態Ｓ１において、処理部１２８は、切替スイッチ１３０がユーザの操作を受け付けたことに基づいて、待機状態Ｓ２への遷移Ｔ９を実行する。また、待機状態Ｓ２において、処理部１２８は、切替スイッチ１３０がユーザの操作を受け付けたことに基づいて、標準状態Ｓ１への遷移Ｔ１０を実行する。
【０１１１】
このように、基準光レベルで標準画面Ｄ１を表示する標準状態Ｓ１と基準光レベルで待機画面Ｄ２を表示する待機状態Ｓ２との切り替えのための専用の切替スイッチ１３０が備えられていることで、標準画面Ｄ１と待機画面Ｄ２の切り替えが容易になる。特に、遷移Ｔ９が新たに設けられたことで、第１の所定時間待機する必要なく、表示部１２３の表示を標準画面Ｄ１から待機画面Ｄ２に切り替えることができる。また、単一の切替スイッチ１３０だけで、標準画面Ｄ１から待機画面Ｄ２への切り替えも待機画面Ｄ２から標準画面Ｄ１への切り替えもできるので、両方を交互に見たいユーザにとっては便利である。
【０１１２】
なお、減光状態Ｓ３において、処理部１２８は、切替スイッチ１３０に対する操作を受け付けたことに基づいて、減光状態Ｓ３から待機状態Ｓ２に遷移してもよいし、減光状態Ｓ３から標準状態Ｓ１に遷移してもよい。
【０１１３】
なお、本実施形態の切替スイッチ１３０および遷移Ｔ９、Ｔ１０は、第１実施形態のみならず、第２、第３実施形態に適用されてもよい。また、本実施形態は、第１、第２、第３実施形態と同等の構成からは同等の効果を得ることができる。なお、本実施形態においては、処理部１２８が、遷移Ｔ９、Ｔ１０を実行することで、手動切替部に対応する。
【０１１４】
（第５実施形態）
次に第５実施形態について、図９を用いて説明する。本実施形態の給湯システム１のハードウェア構成は、第１実施形態と同じである。本実施形態が第１実施形態と異なるのは、処理部１２８の処理内容である。図９は、本実施形態の処理部１２８の状態および状態間の遷移を示す状態遷移図である。本実施形態は、第１実施形態に比べ、遷移Ｔ６が廃止され、かつ遷移Ｔ１１、Ｔ１２が追加されている。その他の状態遷移は、第１実施形態と同様である。
【０１１５】
処理部１２８は、減光状態Ｓ３において、機能スイッチ１２５ａ〜１２５ｇのうちいずれか１つが押し込まれたことに基づいて、待機状態Ｓ２への遷移Ｔ１１を実行する。そして処理部１２８は、遷移Ｔ１１で待機状態Ｓ２に移行した場合、当該１つの機能スイッチがユーザによって押し込まれた状態である間は、待機状態Ｓ２を維持する。したがって、この間、待機画面Ｄ２が表示され続ける。そして処理部１２８は、遷移Ｔ１１で待機状態Ｓ２に移行した後、当該１つの機能スイッチに対するユーザの押し込みが解除されたことに基づいて、待機状態Ｓ２から標準状態Ｓ１への遷移Ｔ１２を実行する。
【０１１６】
このように、機能スイッチを押した後に離す操作に基づいて、減光レベルの減光状態Ｓ３から、基準光レベルで待機画面Ｄ２を表示する待機状態Ｓ２を経て基準光レベルで標準画面Ｄ１を表示する標準状態Ｓ１への切り替えが行われる。これにより、１つの機能スイッチを押して離すというシンプルな操作により、標準画面Ｄ１と待機画面Ｄ２の両方を確認することができるので、利便性が高い。しかも、機能スイッチを押し続ける期間をユーザが調整することで、待機画面Ｄ２の表示時間を容易に調整できる。
【０１１７】
なお、本実施形態では、機能スイッチ１２５ａ〜１２５ｇを押し込んで離す操作が、機能実現操作に対応する。したがって、処理部１２８は、遷移Ｔ１１、Ｔ１２を実行することで、第１復帰部として機能する。また、本実施形態のように、遷移Ｔ６に代えて遷移Ｔ１１、Ｔ１２を設ける変更は、第１実施形態のみならず、第２、第３、第４実施形態に適用されてもよい。また、本実施形態は、第１〜第４実施形態と同等の構成からは同等の効果を得ることができる。
【０１１８】
（第６実施形態）
次に第６実施形態について、図１０を用いて説明する。本実施形態の給湯システム１のハードウェア構成は、第１実施形態と同じである。本実施形態が第１実施形態と異なるのは、処理部１２８の処理内容である。図１０は、本実施形態の処理部１２８の状態および状態間の遷移を示す状態遷移図である。本実施形態は、第１実施形態に比べ、遷移Ｔ１３が追加されている。その他の状態遷移は、第１実施形態と同様である。
【０１１９】
処理部１２８は、待機状態Ｓ２において、上述の通り貯湯タンク１１内の貯湯量が表されていない待機画面Ｄ２を基準光レベルにて表示している。そして処理部１２８は、その待機状態Ｓ２において、貯湯タンク１１内の貯湯量が基準値より小さくなったことに基づいて、標準状態Ｓ１に遷移する。これにより、表示部１２３は、表示画面を待機画面Ｄ２から標準画面Ｄ１に切り換える。
【０１２０】
標準画面Ｄ１には貯湯タンク１１内の貯湯量の表示が含まれている。したがって、ユーザは、貯湯量が減った場合に、表示部１２３の表示内容が、貯湯タンク１１内の貯湯量を表示する標準画面Ｄ１に自動的に切り替わる。これにより、ユーザは貯湯量が残り少ないことに容易に気付ける。
【０１２１】
貯湯タンク１１内の貯湯量については、既に説明した通り、各水温サーミスタ１１１〜１１７から出力される温度情報に基づいて、処理部１２８によって特定される。
【０１２２】
なお、本実施形態のように、遷移Ｔ１３を設ける変更は、第１実施形態のみならず、第２、第３、第４、第５実施形態に適用されてもよい。また、本実施形態は、第１〜第５実施形態と同等の構成からは同等の効果を得ることができる。また、本実施形態においては、処理部１２８が、遷移Ｔ１３を実行することで、貯湯量対応部に対応する。
【０１２３】
（第７実施形態）
次に第６実施形態について説明する。上記第１〜第６実施形態では、減光状態Ｓ３における明るさレベルとして減光レベルを実現するために、表示部１２３のバックライトがオフになっている。
【０１２４】
これに対し、本実施形態では、減光レベルを実現するために、表示部１２３のバックライトが実現する輝度は、ユーザによって調整可能となっている。例えば、リモコン装置１２０に、輝度調整スイッチが設けられており、この輝度調整スイッチをユーザが操作することで、処理部１２８は、減光レベルにおけるバックライトの輝度の目標値を決定してもよい。この際、減光状態Ｓ３におけるバックライトの輝度の目標値は、待機状態Ｓ２におけるバックライトの輝度未満に制限されている。
【０１２５】
その場合、処理部１２８は、減光状態Ｓ３において、バックライトの輝度が、上記のように決定した目標値に一致するよう、バックライトを（例えばＰＷＭ制御によって）制御する。
【０１２６】
（第８実施形態）
次に第８実施形態について、図１１、図１２を用いて説明する。本実施形態は、第１実施形態に対してリモコン装置１２０のハードウェア構成が変更されている。具体的には、本実施形態のリモコン装置１２０は、第１実施形態のリモコン装置１２０から機能スイッチ１２５ａ〜１２５ｇ、カーソルスイッチ１２７ａ〜１２７ｄが廃され、かつ、表示部１２３の表示領域が増大し、かつ、タッチパネル１３１が追加されている。
【０１２７】
タッチパネル１３１は、表示部１２３の液晶パネルに重ねられて配置され、ユーザの指、タッチペン等による表示部１２３の表示領域内へのタッチ操作を受け付ける。本実施形態では、タッチパネル１３１および決定スイッチ１２６が、全体として操作受付部に対応する。
【０１２８】
決定スイッチ１２６は、第１実施形態と同様、筐体１２１の表面から外側に露出してユーザの操作を受け付けるメカニカルスイッチである。決定スイッチ１２６の機能も、第１実施形態と同じである。すなわち、決定スイッチ１２６は、基準光レベルにおいて表示部１２３に表示されている画面によって、その機能が異なる。したがって、決定スイッチ１２６は、基準光レベルにおいて表示部１２３の表示内容を確認しないと機能が認識できない設定スイッチである。
【０１２９】
本実施形態の処理部１２８の状態遷移は、図２に示したものと同じである。ただし、機能実現状態Ｓ０、標準状態Ｓ１、待機状態Ｓ２、減光状態Ｓ３のいずれにおいても、表示部１２３には、画面切換エリア１２３ｘの外部に、６個のアイコン１２３ａ〜１２３ｆが表示される。
【０１３０】
アイコン１２３ａ〜１２３ｆは、第１実施形態の機能スイッチ１２５ａ〜１２５ｇと同等の機能を有する機能スイッチである。具体的にはアイコン１２３ａ〜１２３ｆのうち、１つは、通話スイッチであり、別の１つは湯張りスイッチであり、別の１つは追焚きスイッチである。アイコン１２３ａ〜１２３ｆに対してタッチ操作を行うことは、機能実現操作に該当する。
【０１３１】
これらアイコン１２３ａ〜１２３ｆに対するタッチ操作に割り当てられた機能は、明るさレベルが基準光レベルであっても減光レベルであっても、状態が機能実現状態Ｓ０、標準状態Ｓ１、待機状態Ｓ２、減光状態Ｓ３のいずれであっても、変化しない。
【０１３２】
したがって、ユーザは、表示部１２３の表示内容を確認しなくても、アイコン１２３ａ〜１２３ｆによって実現する機能が一意に認識できる。つまり、アイコン１２３ａ〜１２３ｆにタッチするための操作すなわち機能実現操作は、基準光レベルにおいて機能実現操作にあらかじめ固定的に割り当てられた機能を実現するための操作である。
【０１３３】
なお、第１実施形態において機能実現状態Ｓ０、標準状態Ｓ１、待機状態Ｓ２、減光状態Ｓ３で表示部１２３に表示される情報は、本実施形態においては、画面切換エリア１２３ｘに、第１実施形態と同様の形態で、表示される。したがって、画面Ｄ０、標準画面Ｄ１、待機画面Ｄ２の切り換えも、画面切換エリア１２３ｘにおいて第１実施形態と同様に行われる。しかし、アイコン１２３ａ〜１２３ｆの表示は、上述の通り、画面切換エリア１２３ｘにおける表示内容が変化しても、変化しない。
【０１３４】
このように、機能実現操作は、メカニカルスイッチに対する操作でなくてもよい。なお、本実施形態においては、決定スイッチ１２６はメカニカルスイッチであったが、これも画面切換エリア１２３ｘの外部のアイコンとして表されてもよい。
【０１３５】
なお、本実施形態のような変更は、第１実施形態のみならず、第２〜第７実施形態に適用されてもよい。また、本実施形態は、第１〜第７実施形態と同等の構成からは同等の効果を得ることができる。
【０１３６】
（他の実施形態）
なお、本発明は上記した実施形態に限定されるものではなく、適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、センサから車両の外部環境情報（例えば車外の湿度）を取得することが記載されている場合、そのセンサを廃し、車両の外部のサーバまたはクラウドからその外部環境情報を受信することも可能である。あるいは、そのセンサを廃し、車両の外部のサーバまたはクラウドからその外部環境情報に関連する関連情報を取得し、取得した関連情報からその外部環境情報を推定することも可能である。特に、ある量について複数個の値が例示されている場合、特に別記した場合および原理的に明らかに不可能な場合を除き、それら複数個の値の間の値を採用することも可能である。また、上記各実施形態において、構成要素等の形状、位置関係等に言及するときは、特に明示した場合および原理的に特定の形状、位置関係等に限定される場合等を除き、その形状、位置関係等に限定されるものではない。また、本発明は、上記各実施形態に対する以下のような変形例および均等範囲の変形例も許容される。なお、以下の変形例は、それぞれ独立に、上記実施形態に適用および不適用を選択できる。すなわち、以下の変形例のうち任意の組み合わせを、上記実施形態に適用することができる。
【０１３７】
（変形例１）
上記実施形態では、待機画面Ｄ２には、日付と、標準画面Ｄ１における表示よりも拡大された時刻が、表されている。このような待機画面Ｄ２と、貯湯タンク１１内の貯湯量が表わされている標準画面Ｄ１との両方を確認したい場面としては、例えば、現状の貯湯量と時間から、湯増しをするか、深夜時間になるまで待つかを判断したい場面がある。しかし、待機画面Ｄ２は、このようなものに限られない。
【０１３８】
例えば、図１３に示すように、待機画面Ｄ２には、日付と、標準画面Ｄ１における表示よりも拡大された時刻と、外気温度の低下およびヒートショックに対する注意換気の情報とが、表されていてもよい。このような待機画面Ｄ２と、浴槽５１内の湯の温度が表されている標準画面Ｄ１との両方を確認したい場面がある。例えば、外気温度の低下およびヒートショックに対する注意換気の情報を見たことで、外気温度と浴槽５１内の湯の温度との差を確認したい場面がそうである。
【０１３９】
また例えば、図１４に示すように、待機画面Ｄ２には、日付と、標準画面Ｄ１における表示よりも拡大された時刻と、デマンドレスポンスによる翌日の湯増し計画時間の情報とが、表されていてもよい。このような待機画面Ｄ２と、貯湯タンク１１内の貯湯量が表されている標準画面Ｄ１との両方を確認したい場面がある。例えば、翌日の湯増し計画時間の情報を見て、今のうちに湯をもっと使うべきか検討するため、現在の貯湯量を知りたい場面がそうである。
【０１４０】
また例えば、図１５に示すように、待機画面Ｄ２には、太陽光発電による現在の余剰電力と、太陽光発電による翌日の予想余剰電力の情報が表示されていてもよい。このような待機画面Ｄ２と、貯湯タンク１１内の貯湯量が表されている標準画面Ｄ１との両方を確認したい場面がある。例えば、太陽光による余剰電力が発生している、または発生しそうなので、今のうちに湯増しするべきか検討するため、現在の貯湯量を知りたい場面がそうである。以上のように、待機画面Ｄ２は、標準画面Ｄ１と異なっているだけでもよい。
【０１４１】
（変形例２）
上記実施形態では、表示部１２３の明るさレベルは、表示部１２３のバックライトの輝度を変更することで変更されている。しかし、表示部１２３の明るさレベルは、バックライトの輝度以外によって調整されてもよい。例えば、有機ＥＬディスプレイやマイクロＬＥＤディスプレイ等の自発光ディスプレイである場合は、画素を構成する要素自体が発光する。表示部１２３が液晶表示装置ではなくそのような自発光装置である場合は、それら画素自体の輝度（例えば全画素の平均輝度）が、基準光レベルよりも減光レベルの方が低くなるよう、制御される。
【０１４２】
（変形例３）
上記実施形態では、給湯システム１は浴槽５１を有し、リモコン装置１２０は浴室に備えられているが、必ずしもこのようになっておらずともよい。例えば、給湯システム１は、単に台所に給湯を行うシステムであってもよい。また、リモコン装置１２０は、リビングや台所に備えられていてもよい。
【０１４３】
（変形例４）
上記実施形態においては、減光レベルにおいても表示部１２３の表示の内容は視認可能となっている。しかし、減光レベルにおいて表示部１２３の表示の内容が視認不可能となってもよい。
【０１４４】
（変形例５）
上記実施形態では、待機状態Ｓ２において待機画面Ｄ２は常に同じ種類の情報を表す。しかし、待機状態Ｓ２において待機画面Ｄ２は状況に応じて異なる種類の情報を表示するようになっていてもよい。つまり、待機画面Ｄ２は、あるときには図１３に示したような種類の情報を表し、別のときには図１４に示したような種類の情報を表し、更に別のときには図１５に示したような種類の情報を表してもよい。
【０１４５】
（まとめ）
上記各実施形態の一部または全部で示された第１の観点によれば、ユーザの操作に応じて給湯装置に動作指令を出力するリモコン装置は、情報を視覚的に表示すると共に、表示の明るさレベルとして基準光レベルと前記基準光レベルよりも低い減光レベルとを実現可能な表示部と、前記ユーザの操作を受け付ける操作受付部と、前記操作受付部が検知した操作に応じて前記動作指令を作成して出力するとともに前記表示部に表示させる情報を制御する処理部と、を備え、前記処理部は、前記明るさレベルが前記基準光レベルであり且つ前記表示部に第１の情報表示画面が表示されているとき、前記操作受付部が前記ユーザによる機能実現操作を受け付けた場合に、前記機能実現操作にあらかじめ固定的に割り当てられた機能を実現する機能実現部と、前記明るさレベルが前記基準光レベルである場合に前記操作受付部に対してユーザの操作が所定時間ないことに基づいて前記明るさレベルを前記基準光レベルから前記減光レベルに切り替える減光部と、前記明るさレベルが前記減光レベルである場合に前記操作受付部が前記ユーザによる前記機能実現操作を受け付けたことに基づいて、前記明るさレベルを前記減光レベルから前記基準光レベルに切り替えると共に前記表示部に前記第１の情報表示画面を表示させる第１復帰部と、前記明るさレベルが前記減光レベルである場合に前記操作受付部が前記ユーザによる前記機能実現操作以外の操作を受け付けたことに基づいて、前記明るさレベルを前記減光レベルから前記基準光レベルに切り替えると共に前記第１の情報表示画面とは異なる第２の情報表示画面を前記表示部に表示させる第２復帰部と、を有する。
【０１４６】
また、第２の観点によれば、前記第１の情報表示画面には、浴槽に貯められている湯の温度の目標値であるふろ温度、および、前記浴槽に供給される湯の温度の目標値である給湯温度のうち、いずれか一方または両方が表わされており、かつ、前記浴槽に供給される湯の量および温度のうちいずれか一方または両方を調整する機能の作動中表示が表わされている。このように、リモコン装置が、浴槽に関する機能を制御するものである場合、有用性が高い。
【０１４７】
また、第３の観点によれば、前記処理部は、前記第２復帰部によって前記明るさレベルが前記減光レベルから前記基準光レベルに切り替えられると共に前記第２の情報表示画面が前記表示部に表示された後に、前記操作受付部に対してユーザの操作がなくても、前記表示部に前記第１の情報表示画面を表示させる自動切替部を有する。
【０１４８】
これにより、明るさレベルが減光レベルにある場合にユーザが設定スイッチを操作するだけで、その後、基準光レベルにて第２の情報表示画面が表示され、さらにその後自動的に（すなわち操作受付部に対してユーザが他の操作をしなくても）、第１の情報表示画面が表示される。したがって、ユーザの操作負担を減らした上で、第１の情報表示画面を見たいというニーズも、第２の情報表示画面を見たいというニーズも、満たすことができる。
【０１４９】
また、第４の観点によれば、前記減光部は、前記明るさレベルが前記基準光レベルであると共に前記第２の情報表示画面が前記表示部に表示されている場合に前記操作受付部に対してユーザの操作が所定時間ないことに基づいて、前記明るさレベルを前記基準光レベルから前記減光レベルに切り替えると共に、前記第２の情報表示画面のうち一部の情報が省略されて他の情報がより大きく表される第３の情報表示画面を、前記表示部に表示させる請求項１ないし３のいずれか１つに記載のリモコン装置。このようにすることで、明るさレベルが基準光レベルから減光レベルに切り替わった場合における視認性の低下を抑えることができる。
【０１５０】
また、第５の観点によれば、前記操作受付部は、切替スイッチを有し、前記処理部は、前記明るさレベルが前記基準光レベルであり且つ前記表示部に前記第１の情報表示画面が表示されているとき、前記切替スイッチが操作されたことに基づいて、前記表示部の表示を前記第１の情報表示画面から前記第２の情報表示画面に切り替える手動切替部を有する。
【０１５１】
このように、第１の情報表示画面から第２の情報表示画面へ切り替えるための切替スイッチが備えられていることで、第１の情報表示画面から第２の情報表示画面への切り替えが容易になる。
【０１５２】
また、第６の観点によれば、前記操作受付部は、メカニカルスイッチである機能スイッチを有し、前記第１復帰部は、前記明るさレベルが前記減光レベルである場合に前記操作受付部が前記ユーザによる前記機能実現操作として前記機能スイッチを押し込んで離す操作を受け付けたことに基づいて、前記機能スイッチが押し込まれると前記明るさレベルを前記減光レベルから前記基準光レベルに切り替えると共に前記表示部に前記第２の情報表示画面を表示させ、その後に前記機能スイッチが離されると前記表示部の表示を前記第２の情報表示画面から前記第１の情報表示画面に切り替える。
【０１５３】
このように、機能スイッチを押した後に離す操作に基づいて、減光レベルの減光状態Ｓ３から、基準光レベルで待機画面Ｄ２を表示する待機状態Ｓ２を経て基準光レベルで標準画面Ｄ１を表示する標準状態Ｓ１への切り替えが行われる。これにより、１つの機能スイッチを押して離すというシンプルな操作により、標準画面Ｄ１と待機画面Ｄ２の両方を確認することができるので、利便性が高い。しかも、機能スイッチを押し続ける期間をユーザが調整することで、待機画面Ｄ２の表示時間を容易に調整できる。
【０１５４】
また、第７の観点によれば、前記第１の情報表示画面には、貯湯タンク内の貯湯量が表されており、前記第２の情報表示画面には、前記貯湯タンク内の貯湯量が表されておらず、前記処理部は、前記表示部が前記第２の情報表示画面を表示しているときに前記貯湯タンク内の貯湯量が基準値より小さくなったことに基づいて、前記表示部の表示を前記第２の情報表示画面から前記第１の情報表示画面に切り換える貯湯量対応部を有する。
【０１５５】
第１の情報表示画面には貯湯タンク１１内の貯湯量の表示が含まれている。したがって、ユーザは、貯湯量が減った場合に、表示部１２３の表示内容が、貯湯タンク１１内の貯湯量を表示する標準画面Ｄ１に自動的に切り替わる。これにより、ユーザは貯湯量が残り少ないことに容易に気付ける。
【０１５６】
また、第８の観点によれば、前記減光レベルの明るさがユーザによって調整可能である。このようにすることで、減光レベル時の表示の視認性を好みの明るさにできる。
【０１５７】
また、第９の観点によれば、前記第２の情報表示画面は、前記第１の情報表示画面に表されている複数種類の情報のうち一部を、前記第１の情報表示画面で表す場合よりも大きく表している。このようにすることで、第２の情報表示画面は、視認性を高める表示として機能する。
【符号の説明】
【０１５８】
１                給湯システム
１１              貯湯タンク
１０              給湯装置
５１              浴槽
１２０            リモコン装置
１２３            表示部
１２８            処理部
【図１】
2020170994.tif 000003
【図２】
2020170994.tif 000004
【図３】
2020170994.tif 000005
【図４】
2020170994.tif 000006
【図５】
2020170994.tif 000007
【図６】
2020170994.tif 000008
【図７】
2020170994.tif 000009
【図８】
2020170994.tif 000010
【図９】
2020170994.tif 000011
【図１０】
2020170994.tif 000012
【図１１】
2020170994.tif 000013
【図１２】
2020170994.tif 000014
【図１３】
2020170994.tif 000015
【図１４】
2020170994.tif 000016
【図１５】
2020170994.tif 000017